(57)【要約】【課題】照明手段による消費電力を抑制することができる撮像装置を提供する。【解決手段】ＣＣＤ２４により取得された画像情報により示される被写体像がＬＣＤ３８により表示されているとき、ＣＰＵ４０により、被写体の明るさの度合いを示す値を検出し、当該値が小さくなるほど被写体に対して照明光を照射する補助光源４５による照明光の光強度が大きくなるように当該補助光源４５を制御する。【選択図】図２
2007221218.tif 000002
【特許請求の範囲】
【請求項１】
被写体に対して照明光を照射するものとされ、かつ当該照明光の光強度が可変とされた照明手段と、
前記被写体を撮像して被写体像を示す画像情報を取得する撮像手段と、
前記撮像手段により取得された前記画像情報により示される被写体像を表示する表示手段と、
前記被写体の明るさの度合いを示す値を検出する検出手段と、
前記画像情報により示される被写体像が前記表示手段により表示されているとき、前記明るさの度合いを示す値が小さくなるほど前記光強度が大きくなるように前記照明手段を制御する制御手段と、
を備えた撮像装置。
【請求項２】
前記検出手段は、前記撮像手段と兼用されて、当該撮像手段により取得された前記画像情報に基づいて前記明るさの度合いを示す値を検出する、
請求項１記載の撮像装置。
【請求項３】
前記明るさの度合いを示す値が小さくなるほど前記光強度が大きくなるように、当該値を当該光強度に変換するための変換情報が予め記憶された記憶手段を更に備え、
前記制御手段は、前記検出手段によって検出された値を前記変換情報を用いて前記光強度に変換し、これによって得られた光強度となるように前記照明手段を制御する、
請求項１または請求項２に記載の撮像装置。
【請求項４】
前記照明手段は、入力される電流の電流値が変更されることによって前記光強度が可変とされ、
前記制御手段は、前記検出手段により検出された値が小さくなるほど前記電流値が大きくなるようにすることにより前記制御を行う、
請求項１乃至請求項３の何れか１項に記載の撮像装置。
【請求項５】
前記制御手段は、前記照明手段に入力される電流の電流値が大きくなるほど当該照明手段による照明時間が短くなり、かつ当該電流値に当該照明時間を乗算して得られる値に応じた値が所定値以下となるように前記照明手段を制御する、
請求項４記載の撮像装置。
【請求項６】
前記照明手段による照明時間を入力する照明時間入力手段を更に備え、
前記制御手段は、照明時間が前記照明時間入力手段によって入力された照明時間となるように前記照明手段を制御する、
請求項１乃至請求項４の何れか１項に記載の撮像装置。
【請求項７】
前記画像情報により示される被写体像のホワイトバランス調整処理を行うホワイトバランス調整手段を更に備え、
前記制御手段は、前記検出手段により検出された値が所定値以上である場合は前記照明手段による照明光の色味に応じて前記ホワイトバランス調整処理が行われ、前記検出手段により検出された値が前記所定値未満である場合は前記被写体像の色味に応じて前記ホワイトバランス調整処理が行われるように前記ホワイトバランス調整手段を制御する、
請求項１乃至請求項６の何れか１項に記載の撮像装置。
【請求項８】
前記照明手段を発光させるための発光指示を入力するための発光指示入力手段を更に備え、
前記制御手段は、前記発光指示入力手段により前記発光指示が入力されたとき、強制的に発光するように前記照明手段を制御する、
請求項１乃至請求項７の何れか１項に記載の撮像装置。
【発明の詳細な説明】
【技術分野】
【０００１】
本発明は、撮像装置に係り、特に、固体撮像素子等の撮像手段による撮像によって得られた被写体像を表示する表示手段を備えた撮像装置に関する。
【背景技術】
【０００２】
近年、ＣＣＤ（Charge Coupled Device）エリアセンサ、ＣＭＯＳ（Complementary Metal Oxide Semiconductor）イメージ・センサ等の固体撮像素子の高解像度化に伴い、撮影機能を備えたデジタルカメラ、カメラ付き携帯電話機等の電子機器（以下、「撮像装置」という。）の需要が急増しており、このような撮像装置には、撮影画角を決定するため等に用いられる液晶ディスプレイ（以下、「ＬＣＤ」という。）等の表示手段が備えられているものが多い。
【０００３】
ところで、以上のような撮像装置では、暗所において上記表示手段を用いて撮影画角を決定する際に、表示された被写体像が暗すぎて見え難い場合があり、この場合には撮影画角を決定するのが困難である、という問題点があった。
【０００４】
これに対し、固体撮像素子の撮像感度を通常より上げて表示手段により被写体像を明るめに表示させる技術も考えられるが、この場合、感度を上げ過ぎると撮像画像のノイズ成分も増幅されてしまうため、表示手段により表示される被写体像の品質が悪化してしまう、という問題点があった。
【０００５】
そこで、これらの問題点を解決するために適用できる技術として、特許文献１には、暗所において発光ダイオード等の照明手段を自動又は手動により点灯させることにより、表示手段によって表示される被写体像の視認性を向上させることで、撮影画角を容易に決定できるようにする技術が開示されている。
【特許文献１】特開２００３−３０９７６５号公報
【発明の開示】
【発明が解決しようとする課題】
【０００６】
しかしながら、上記特許文献１に開示されている技術では、照明手段を点灯させる際に一定の光強度で点灯させるものとされているため、必要以上に電力を消費してしまう場合がある、という問題点があった。
【０００７】
本発明は、上記問題点を解決するためになされたものであり、照明手段による消費電力を抑制することができる撮像装置を提供することを目的とする。
【課題を解決するための手段】
【０００８】
上記目的を達成するために、請求項１記載の撮像装置は、被写体に対して照明光を照射するものとされ、かつ当該照明光の光強度が可変とされた照明手段と、前記被写体を撮像して被写体像を示す画像情報を取得する撮像手段と、前記撮像手段により取得された前記画像情報により示される被写体像を表示する表示手段と、前記被写体の明るさの度合いを示す値を検出する検出手段と、前記画像情報により示される被写体像が前記表示手段により表示されているとき、前記明るさの度合いを示す値が小さくなるほど前記光強度が大きくなるように前記照明手段を制御する制御手段と、を備えている。
【０００９】
請求項１に記載の撮像装置は、被写体に対して照明光を照射するものとされ、かつ当該照明光の光強度が可変とされた照明手段を備えている。なお、上記照明手段には、発光ダイオード、ハロゲンランプ等の被写体に照射光を照射できるあらゆる発光素子が含まれる。
【００１０】
また、本発明では、撮像手段により、前記被写体が撮像されて被写体像を示す画像情報が取得され、当該画像情報により示される被写体像が表示手段により表示される。なお、上記撮像手段には、ＣＣＤエリアセンサ、ＣＭＯＳイメージ・センサ等の固体撮像素子が含まれる。また、上記表示手段には、液晶ディスプレイ、プラズマディスプレイ、有機ＥＬ（Electro Luminescence）ディスプレイ等のディスプレイ装置が含まれる。
【００１１】
ここで、本発明では、前記被写体の明るさの度合いを示す値が検出手段により検出される。なお、上記検出手段には、フォトダイオード、フォトトランジスタ等の受光素子が含まれる。
【００１２】
そして、本発明では、制御手段により、前記画像情報により示される被写体像が前記表示手段により表示されているとき、制御手段により、前記明るさの度合いを示す値が小さくなるほど前記光強度が大きくなるように前記照明手段が制御される。
【００１３】
このように、請求項１に記載の撮像装置によれば、撮像手段により取得された画像情報により示される被写体像が表示手段により表示されているとき、被写体の明るさの度合いを示す値を検出し、当該値が小さくなるほど照明手段による照明光の光強度が大きくなるように当該照明手段を制御しているので、必要以上に電力を消費してしまう事態を回避することができる結果、照明手段による消費電力を抑制することができる。
【００１４】
なお、本発明の前記検出手段は、請求項２に記載の発明のように、前記撮像手段と兼用されて、当該撮像手段により取得された前記画像情報に基づいて前記明るさの度合いを示す値を検出するものとしてもよい。
【００１５】
また、本発明は、請求項３に記載の発明のように、前記明るさの度合いを示す値が小さくなるほど前記光強度が大きくなるように、当該値を当該光強度に変換するための変換情報が予め記憶された記憶手段を更に備え、前記制御手段は、前記検出手段によって検出された値を前記変換情報を用いて前記光強度に変換し、これによって得られた光強度となるように前記照明手段を制御するものとしてもよい。なお、上記記憶手段には、ＲＡＭ（Random Access Memory）、ＥＥＰＲＯＭ（Electrically Erasable and Programmable Read Only Memory）、フラッシュＥＥＰＲＯＭ（Flash EEPROM）等の半導体記憶素子、スマートメディア（登録商標）、フレキシブルディスク等の可搬型の記録媒体やハードディスク等の固定型の記録媒体が含まれる。
【００１６】
また、本発明は、請求項４に記載の発明のように、前記照明手段が、入力される電流の電流値が変更されることによって前記光強度が可変とされ、前記制御手段が、前記検出手段により検出された値が小さくなるほど前記電流値が大きくなるようにすることにより前記制御を行うものとしてもよい。
【００１７】
特に、請求項４に係る前記制御手段は、請求項５に記載の発明のように、前記照明手段に入力される電流の電流値が大きくなるほど当該照明手段による照明時間が短くなり、かつ当該電流値に当該照明時間を乗算して得られる値に応じた値が所定値以下となるように前記照明手段を制御するものとしてもよい。
【００１８】
また、本発明は、請求項６に記載の発明のように、前記照明手段による照明時間を入力する照明時間入力手段を更に備え、前記制御手段が、照明時間が前記照明時間入力手段によって入力された照明時間となるように前記照明手段を制御するものとしてもよい。
【００１９】
また、本発明は、請求項７に記載の発明のように、前記画像情報により示される被写体像のホワイトバランス調整処理を行うホワイトバランス調整手段を更に備え、前記制御手段が、前記検出手段により検出された値が所定値以上である場合は前記照明手段による照明光の色味に応じて前記ホワイトバランス調整処理が行われ、前記検出手段により検出された値が前記所定値未満である場合は前記被写体像の色味に応じて前記ホワイトバランス調整処理が行われるように前記ホワイトバランス調整手段を制御するものとしてもよい。
【００２０】
更に、本発明は、請求項８に記載の発明のように、前記照明手段を発光させるための発光指示を入力するための発光指示入力手段を更に備え、前記制御手段が、前記発光指示入力手段により前記発光指示が入力されたとき、強制的に発光するように前記照明手段を制御するものとしてもよい。
【発明の効果】
【００２１】
本発明によれば、撮像手段により取得された画像情報により示される被写体像が表示手段により表示されているとき、被写体の明るさの度合いを示す値を検出し、当該値が小さくなるほど照明手段による照明光の光強度が大きくなるように当該照明手段を制御しているので、必要以上に電力を消費してしまう事態を回避することができる結果、照明手段による消費電力を抑制することができる、という効果が得られる。
【発明を実施するための最良の形態】
【００２２】
以下、図面を参照して、本発明の実施の形態について詳細に説明する。なお、ここでは、本発明を静止画像の撮影を行うことのできるデジタル電子スチルカメラ（以下、「デジタルカメラ」という。）１０に適用した場合について説明する。
【００２３】
［第１の実施の形態］
まず、図１を参照して、本実施の形態に係るデジタルカメラ１０の外観上の構成を説明する。
【００２４】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、後述するＡＦ（Auto Focus、自動合焦）機能により合焦制御が行われるときに被写体の明るさが合焦制御可能な明るさとなるように被写体に照明光を照射する補助光源４５と、が備えられている。
【００２５】
なお、本実施の形態に係る補助光源４５は、入力される電流の電流値が変更されることによって照明光の光強度が可変とされており、当該電流値が大きくなるほど当該光強度が大きくなるように構成されている。なお、本実施の形態のデジタルカメラ１０では、補助光源４５として発光ダイオードが用いられている。
【００２６】
一方、デジタルカメラ１０の上面には、撮影を実行する際に押圧操作されるレリーズスイッチ（所謂シャッター）５６Ａと、電源スイッチ５６Ｂと、モード切替スイッチ５６Ｃと、が備えられている。
【００２７】
なお、レリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２８】
そして、デジタルカメラ１０では、レリーズスイッチ５６Ａを半押し状態にすることによりＡＥ（Automatic Exposure、自動露出）機能が働いて露出状態（シャッタースピード、絞りの状態）が設定された後、ＡＦ機能が働いて合焦制御され、その後、引き続き全押し状態にすると露光（撮影）が行われる。
【００２９】
また、モード切替スイッチ５６Ｃは、撮影を行うモードである撮影モード及び被写体像を後述するＬＣＤ３８に再生するモードである再生モードの何れかのモードに設定する際に回転操作される。
【００３０】
また、デジタルカメラ１０の背面には、前述のファインダ２０の接眼部と、撮影された被写体像やメニュー画面等を表示するＬＣＤ３８と、十字カーソルスイッチ５６Ｄと、ズームスイッチ５６Ｅと、が備えられている。
【００３１】
なお、十字カーソルスイッチ５６Ｄは、ＬＣＤ３８の表示領域における上・下・左・右の４方向の移動方向を示す４つの矢印キーを含んで構成されている。
【００３２】
また、ズームスイッチ５６Ｅは、撮影時に被写体像のズーミング（拡大及び縮小）を行うときに押圧操作されるものであり、図１の「Ｔ」の位置に対応し、かつ被写体像を拡大するときに押圧操作されるテレ・スイッチと、同図の「Ｗ」の位置に対応し、かつ被写体像を縮小するときに押圧操作されるワイド・スイッチと、を含んで構成されている。なお、当該テレ・スイッチ及びワイド・スイッチは、補助光源４５により照明光を強制的に発光させるときに操作される強制発光スイッチとしての役割も有しており、被写体像のズーミングを行うときに所定光強度で補助光源４５を強制的に発光させることができる。
【００３３】
更に、デジタルカメラ１０の背面には、ＬＣＤ３８にメニュー画面を表示させるときに押圧操作されるメニュースイッチと、それまでの操作内容を確定するときに押圧操作される決定スイッチと、直前の操作内容をキャンセルするときに押圧操作されるキャンセルスイッチと、が備えられている。
【００３４】
次に、図２を参照して、本実施の形態に係るデジタルカメラ１０の電気系の要部構成を説明する。
【００３５】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３６】
また、デジタルカメラ１０は、入力されたアナログ信号をデジタルデータに変換するアナログ／デジタル変換器（以下、「ＡＤＣ」という。）２８と、入力されたデジタルデータに対してホワイトバランス調整処理等の各種デジタル信号処理を行うデジタル信号処理部３０と、を含んで構成されている。
【００３７】
なお、デジタル信号処理部３０は、所定容量のラインバッファを内蔵し、入力されたデジタルデータを後述する内部メモリ４８の所定領域に直接記憶させる制御も行う。
【００３８】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３９】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を一時的に記憶する内部メモリ４８と、内部メモリ４８に対するアクセスの制御を行う内部メモリインタフェース４６と、を含んで構成されている。
【００４０】
更に、デジタルカメラ１０は、可搬型の外部メモリ５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００４１】
本実施の形態のデジタルカメラ１０では、内部メモリ４８としてフラッシュ・メモリ（Flash Memory）が用いられ、外部メモリ５２としてスマートメディア（Smart Media（登録商標））が用いられている。
【００４２】
デジタル信号処理部３０、ＬＣＤインタフェース３６、ＣＰＵ４０、内部メモリインタフェース４６、外部メモリインタフェース５０及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、内部メモリ４８及び外部メモリ５２への内部メモリインタフェース４６ないし外部メモリインタフェース５０を介したアクセスを各々行うことができる。
【００４３】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４４】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４５】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４６】
更に、前述のレリーズスイッチ５６Ａ、電源スイッチ５６Ｂ、モード切替スイッチ５６Ｃ、十字カーソルスイッチ５６Ｄ、ズームスイッチ５６Ｅ、及びメニュースイッチ等の各種スイッチ（同図では、「操作部５６」と総称。）はＣＰＵ４０に接続されており、ＣＰＵ４０は、これらの操作部５６に対する操作状態を常時把握できる。
【００４７】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４８】
また、デジタルカメラ１０には、補助光源４５とＣＰＵ４０との間に介在されると共に、ＣＰＵ４０の制御により補助光源４５による照明光の光強度を変更することができ、かつ補助光源４５による発光／発光停止を制御することができる補助光インタフェース４３が備えられている。なお、補助光インタフェース４３は電子ボリュームを含んで構成されており、ＣＰＵ４０の制御に応じて補助光源４５に入力される電流の電流値を当該電子ボリュームで変更することによって照明光の光強度を変更するものとされている。
【００４９】
ところで、本実施の形態に係るデジタルカメラ１０は、補助光源４５による照明光の光強度がＣＣＤ２４により取得されたデジタル画像データにより示される被写体像の平均輝度値（本実施の形態では、全画素の平均輝度値。）に応じて変更されるものとされている。ここで、本実施の形態では、上記光強度をテーブル変換により導出するものとしている。
【００５０】
図３（Ａ）には、上記照明光の光強度を被写体像の平均輝度値に応じて変更する際に用いられる平均輝度値−電流値テーブルの一例が模式的に示されている。同図に示されるように、本実施の形態に係る平均輝度値−電流値テーブルでは、上記平均輝度値が小さくなるほど電流値が段階的に大きくなるものとされている。
【００５１】
また、本実施の形態に係るデジタルカメラ１０は、補助光源４５の照明光による照明時間を、デジタルカメラ１０により自動的に決定するか、又はユーザからの入力により所望の時間を設定するかを選択することができるものとされている。
【００５２】
そして、照明時間を自動的に決定する場合は、当該照明時間を、上記平均輝度値に応じてテーブル変換により決定するものとされている。
【００５３】
図３（Ｂ）には、この際に用いられる平均輝度値−照明時間テーブルの一例が模式的に示されている。同図に示されるように、本実施の形態に係る平均輝度値−照明時間テーブルでは、上記平均輝度値が小さくなるほど上記照明時間が段階的に短くなるものとされている。
【００５４】
なお、平均輝度値−電流値テーブル及び平均輝度値−照明時間テーブルにおける各平均輝度値に対応する電流値及び照明時間は、電流値に照明時間を乗算して得られた値が平均輝度値に関わらず所定値以下となるものとされている。また、平均輝度値−電流値テーブル及び平均輝度値−照明時間テーブルは、内部メモリ４８の所定領域に予め記憶されている。
【００５５】
また、本実施の形態に係るデジタル信号処理部３０により行われるホワイトバランス調整処理は、補助光源４５による照明光の色味に応じて行う処理と、デジタル画像データにより示される被写体像の色味に応じて行う処理の２通りの処理があり、上記電流値及び後述するＣＣＤ２４により検出された被写体の明るさの度合いを示す値（ここでは、照度値。）に応じて上記２通りの処理の何れか一方の処理を選択的に行うものとされている。
【００５６】
ここで、照明光の色味に応じてホワイトバランス調整処理を行う場合に、デジタル信号処理部３０は、補助光源４５による照明光の光強度に応じた色味に応じて予め定められたＲ（赤），Ｇ（緑），Ｂ（青）毎のデジタルゲインをデジタル画像データの対応する色毎に乗算する一方、被写体像の色味に応じてホワイトバランス調整処理を行う場合に、デジタル信号処理部３０は、ユーザにより予め設定された光源種に応じて予め定められたＲ，Ｇ，Ｂ毎のデジタルゲインをデジタル画像データの対応する色毎に乗算する。
【００５７】
図３（Ｃ）には、上記電流値及び照度値に応じて上記２通りのホワイトバランス調整処理の何れか一方を選択する際に用いられるプログラム線図の一例が模式的に示されている。
【００５８】
同図に示されるように、本実施の形態に係るプログラム線図は、補助光源４５に入力される電流の電流値と、照度値の閾値（以下、「照度閾値」という。）とが各電流値毎に各々関連付けられており、当該電流値が大きくなるほど当該照度閾値が段階的に大きくなるものとされている。
【００５９】
そして、ＣＣＤ２４により検出された照度値が上記電流値に対応する所定照度閾値以上であるか否かに応じて、デジタル信号処理部３０では、当該照度値が当該所定照度閾値以上である場合は、被写体像の色味に応じたホワイトバランス調整処理が行われる一方、当該照度値が当該所定照度閾値未満である場合は、照明光の色味に応じたホワイトバランス調整処理が行われる。なお、上記プログラム線図は内部メモリ４８の所定領域に予め記憶されている。
【００６０】
なお、本実施の形態に係るＣＣＤ２４は、上記照度値を検出する役割も有しており、本実施の形態に係るデジタルカメラ１０は、ＣＣＤ２４により取得されたデジタル画像データ（後述するＹＣ信号。）に基づいて当該照度値を導出するものとされる。本実施の形態では、ＣＣＤ２４による撮像領域の中心が含まれる所定サイズの一部領域に対応する輝度信号の平均値を照度値として適用しているが、これに限らず、例えば、ＣＣＤ２４による全撮像領域の輝度信号の平均値を照度値とする等の形態とすることもできる。
【００６１】
次に、本実施の形態に係るデジタルカメラ１０の撮影時における全体的な動作について簡単に説明する。
【００６２】
まず、ＣＣＤ２４は、光学ユニット２２を介した撮像を行い、被写体像を示すＲ，Ｇ，Ｂ毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００６３】
ＡＤＣ２８は、アナログ信号処理部２６から入力されたＲ，Ｇ，Ｂ毎のアナログ信号をＲ，Ｇ，Ｂ毎のデジタル画像データに変換してデジタル信号処理部３０に順次出力する。デジタル信号処理部３０は、内蔵しているラインバッファにＡＤＣ２８から順次入力されるデジタル画像データを蓄積して一旦内部メモリ４８の所定領域に直接格納する。
【００６４】
内部メモリ４８の所定領域に格納されたデジタル画像データは、ＣＰＵ４０による制御に応じてデジタル信号処理部３０により読み出され、所定の物理量に応じたＲ，Ｇ，Ｂ毎のデジタルゲインをかけることでホワイトバランス調整処理を行って８ビットのデジタル画像データを生成する。
【００６５】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号を内部メモリ４８の上記所定領域とは異なる領域に格納する。
【００６６】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合は、生成したＹＣ信号を、ＬＣＤインタフェース３６を介して順次ＬＣＤ３８に出力する。これによってＬＣＤ３８にスルー画像が表示されることになる。
【００６７】
ここで、レリーズスイッチ５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点で内部メモリ４８に格納されているＹＣ信号を、圧縮・伸張処理回路５４によって所定の圧縮形式（本実施の形態では、ＪＰＥＧ形式）で圧縮した後に外部メモリインタフェース５０を介して外部メモリ５２に電子化ファイル（画像ファイル）として記録する。
【００６８】
次に、図４を参照して、補助光源４５による照明時間の設定方法の選択時におけるデジタルカメラ１０の動作について詳細に説明する。なお、図４は、ユーザによって十字カーソルスイッチ５６Ｄの操作等により実行が指示された際にＣＰＵ４０によって実行される照明時間設定処理プログラムの処理の流れを示すフローチャートであり、当該プログラムは内部メモリ４８の所定領域に予め記憶されている。
【００６９】
まず、ステップ１００では、予め定められた選択画面をＬＣＤ３８により表示するようにＬＣＤインタフェース３６を制御し、次のステップ１０２にて所定情報の入力待ちを行う。
【００７０】
図５には、上記ステップ１００の処理によってＬＣＤ３８に表示される選択画面の表示状態例が示されている。同図に示すように、本実施の形態に係る選択画面では、補助光源４５による照明時間をデジタルカメラ１０が自動的に設定することを指示する際に選択される自動設定ボタンＢ１と、補助光源４５による照明時間をユーザが設定することを指示する際に選択される手動設定ボタンＢ２が表示されると共に、ユーザが具体的な照明時間を設定する照明時間設定部Ｓが表示される。
【００７１】
図５に示されるような選択画面がＬＣＤ３８に表示されると、ユーザは、十字カーソルスイッチ５６Ｄの操作により自動設定ボタンＢ１及び手動設定ボタンＢ２の何れか一方を選択すると共に、手動設定ボタンＢ２を選択した場合には照明時間設定部Ｓに具体的な照明時間を設定した後、操作部５６の決定スイッチを押圧操作する。これによって上記ステップ１０２が肯定判定となり、ステップ１０４に移行する。
【００７２】
ステップ１０４では、上記ステップ１０２において入力された情報を内部メモリ４８の所定領域に記憶した後、本照明時間設定処理プログラムを終了する。
【００７３】
次に、図６を参照して、撮影画角を決定するためにスルー画像をＬＣＤ３８に表示させる際のデジタルカメラ１０の作用を説明する。なお、図６は、ＬＣＤ３８にスルー画像を表示させる場合であって、かつ照度値が所定値より低いときにＣＰＵ４０によって実行される被写体像表示処理プログラムの処理の流れを示すフローチャートであり、当該プログラムも内部メモリ４８の所定領域に予め記憶されている。
【００７４】
まず、ステップ２００では、上記照明時間設定処理プログラムによって記憶された情報に基づいて補助光源４５の照明時間の自動設定が指示されているか否かを判定し、否定判定となった場合はステップ２０２に移行して、補助光源４５による照明時間を上記照明時間設定処理プログラムによって記憶された情報により示される照明時間に設定した後、次にステップ２１０にて照明光投光処理ルーチン・プログラムを実行する。
【００７５】
一方、上記ステップ２００の処理において肯定判定となった場合はステップ２０４に移行して、内部メモリ４８からデジタル画像データ（ＹＣ信号）を読み出し、次のステップ２０６にて、読み出したデジタル画像データにより示される被写体像の平均輝度値を、上述したように導出した後、ステップ２０８に移行する。
【００７６】
ステップ２０８では、上記平均輝度値−照明時間テーブル（図３（Ｂ）も参照。）に基づいて、補助光源４５による照明時間を上記ステップ２０６の処理により導出した平均輝度値に応じた照明時間に設定し、次のステップ２１０にて照明光投光処理ルーチン・プログラムを実行する。以下、図７を参照して、本実施の形態に係る照明光投光処理ルーチン・プログラムについて説明する。
【００７７】
まず、同図のステップ３００では、内部メモリ４８からデジタル画像データ（ＹＣ信号）を読み出し、次のステップ３０２にて、読み出されたデジタル画像データにより示される被写体像の平均輝度値を上述したように導出した後、次のステップ３０４に移行する。
【００７８】
ステップ３０４では、上記平均輝度値−電流値テーブル（図３（Ａ）も参照。）に基づき、上記ステップ３０２の処理により導出した平均輝度値に応じた電流値を上述したように決定し、次のステップ３０６にて、上記ステップ３００により読み出したデジタル画像データに基づいて照度値を上述したように検出する。
【００７９】
次のステップ３０８では、上記プログラム線図（図３（Ｂ）も参照。）に基づいて、上記ステップ３０６の処理により検出された照度値が上記ステップ３０４の処理により決定された電流値に対応する所定照度閾値以上であるか否かについて判定し、肯定判定となった場合はステップ３１０に移行する。
【００８０】
ステップ３１０では、内部メモリ４８に格納されるデジタル画像データ（ＹＣ信号）に対して、上記光源種に応じて予め定められたＲ，Ｇ，Ｂ毎のデジタルゲインを当該デジタル画像データの対応する色毎に乗算することにより、これ以降、上述した被写体像の色味に応じたホワイトバランス調整処理を行うようにデジタル信号処理部３０を設定した後、ステップ３１４に移行する。
【００８１】
一方、上記ステップ３０８の処理において否定判定となった場合はステップ３１２に移行し、内部メモリ４８に格納されるデジタル画像データ（ＹＣ信号）に対して、補助光源４５による照明光の光強度に応じた色味に応じて予め定められたＲ，Ｇ，Ｂ毎のデジタルゲインを当該デジタル画像データの対応する色毎に乗算することにより、これ以降、上述した照明光の色味に応じたホワイトバランス調整処理を行うようにデジタル信号処理部３０を設定した後、ステップ３１４に移行する。
【００８２】
ステップ３１４では、上記ステップ３０４の処理により決定した電流値の電流が入力されて補助光源４５の発光が開始されるように補助光インタフェース４３を制御し、次のステップ３１６にて、上記被写体像表示処理プログラムのステップ２０２及びステップ２０８の処理のうち、行った処理により設定した照明時間の経過待ちを行い、ステップ３１８にて、補助光源４５の発光が停止するように補助光インタフェース４３を制御する。
【００８３】
次のステップ３２０では、ホワイトバランス調整処理として通常の処理を行うようにデジタル信号処理部３０を設定した後、本照明光投光処理ルーチン・プログラムを終了する。なお、以上の処理により被写体像表示処理プログラムも終了する。
【００８４】
次に、図８を参照して、補助光源４５による照明光を強制的に発光させる際の本実施の形態に係るデジタルカメラ１０の作用を説明する。なお、図８は、撮影モードが設定されており、かつズームスイッチ５６Ｅが押圧操作された際にＣＰＵ４０により実行される強制発光処理プログラムの処理の流れを示すフローチャートであり、当該プログラムも内部メモリ４８の所定領域に予め記憶されている。
【００８５】
同図のステップ４００では、所定光強度で補助光源４５が発光を開始するように補助光インタフェース４３を制御し、次のステップ４０２にて、ズームスイッチ５６Ｅの押圧操作の解除待ちを行い、次のステップ４０４にて、上記ステップ４００の処理により開始した補助光源４５の発光を停止させるように補助光インタフェース４３を制御した後、本強制発光処理プログラムを終了する。
【００８６】
以上詳細に説明したように、上記実施の形態では、撮像手段（ここでは、ＣＣＤ２４。）により取得された画像情報により示される被写体像が表示手段（ここでは、ＬＣＤ３８。）により表示されているとき、被写体の明るさの度合いを示す値を検出し、当該値が小さくなるほど照明手段（ここでは、補助光源４５。）による照明光の光強度が大きくなるように当該照明手段を制御しているので、必要以上に電力を消費してしまう事態を回避することができる結果、上記照明手段による消費電力を抑制することができる。
【００８７】
また、本実施の形態の検出手段は、前記撮像手段と兼用されて、当該撮像手段により取得された前記画像情報に基づいて前記明るさの度合いを示す値を検出しているので、撮像装置（ここでは、デジタルカメラ１０。）に検出手段を新たに設ける必要がなく、上記撮像装置を簡易かつ低コストに構成することができる。
【００８８】
また、本実施の形態では、テーブル変換により、前記検出手段によって検出された値に応じた前記光強度に変換し、これによって得られた光強度となるように前記照明手段を制御しているので、簡易に本発明を実施できる。
【００８９】
また、本実施の形態では、前記照明手段に入力する電流の電流値が大きくなるほど当該照明手段による照明時間が短くなり、かつ当該電流値に当該照明時間を乗算して得られる値に応じた値が所定値以下となるように前記照明手段を制御しているので、上記所定値として所望の消費電力に対応する値を設定しておくことにより、消費電力を所望の値以下に押さえることができる。
【００９０】
また、本実施の形態では、前記照明手段による照明時間を照明時間入力手段（ここでは、十字カーソルスイッチ５６Ｄ。）により入力し、照明時間が前記照明時間入力手段によって入力された照明時間となるように前記照明手段を制御しているので、前記照明手段を所望の時間だけ発光させることができる。これにより、上記照明手段の照明光の光強度を電流値の変更のみにより変更することができる結果、上記撮像装置を簡易な回路構成で実現することができる。
【００９１】
また、本実施の形態では、前記検出手段により検出された値が所定値以上である場合は前記照明手段による照明光の色味に応じて前記画像情報により示される被写体像のホワイトバランス調整処理を行う一方、前記検出手段により検出された値が前記所定値未満である場合は前記被写体像の色味に応じて前記画像情報により示される被写体像のホワイトバランス調整処理を行うようにホワイトバランス調整手段（ここでは、デジタル信号処理部３０。）を制御しているので、上記表示手段により表示される被写体像の色味を向上させることができる。
【００９２】
また、本実施の形態では、発光指示入力手段（ここでは、ズームスイッチ５６Ｅ。）により発光指示が入力されたとき、強制的に発光するように前記照明手段を制御しているので、所望のタイミングで上記照明手段による発光を行わせることができる。
【００９３】
［第２の実施の形態］
本第２の実施の形態では、上記照度値を照度センサにより検出する場合の形態例について説明する。
【００９４】
図９には、本第２の実施の形態に係るデジタルカメラ１０’の外観上の構成が示されている。なお、同図における上記第１の実施の形態の図１と同一の構成要素には図１と同一の符号を付して、その説明を省略する。
【００９５】
同図に示されるように、本第２の実施の形態に係るデジタルカメラ１０’は、照度値を検出するための照度センサ４７が設けられている点のみが上記第１の実施の形態に係るデジタルカメラ１０と異なっている。なお、照度センサ４７は、被写体の照度値が検出可能となるようにデジタルカメラ１０’の正面に設けられている。
【００９６】
図１０には、本第２の実施の形態に係るデジタルカメラ１０’の電気系の要部構成が示されている。なお、同図における上記第１の実施の形態の図２と同一の構成要素には図２と同一の符号を付して、その説明を省略する。
【００９７】
同図に示されるように、照度センサ４７はＣＰＵ４０に接続されており、ＣＰＵ４０は、照度センサ４７により検出される照度値を常時把握することができる。
【００９８】
ところで、本第２の実施の形態に係るデジタルカメラ１０’では、補助光源４５による照明光の光強度が照度センサ４７により検出される照度値に応じて変更されるものとされている。そして、本第２の実施の形態では、上記光強度をテーブル変換により導出するものとしている。
【００９９】
図１１（Ａ）には、上記照明光の光強度を上記照度値に応じて変更する際に用いられる照度値−電流値テーブルの一例が模式的に示されている。同図に示されるように、本第２の実施の形態に係る照度値−電流値テーブルでは、上記照度値が小さくなるほど上記電流値が大きくなるものとされている。
【０１００】
また、本第２の実施の形態に係るデジタルカメラ１０’は、補助光源４５の照明光による照明時間を自動的に決定する場合に、上記照明時間を上記照度値に応じたテーブル変換により決定するものとされている。
【０１０１】
図１１（Ｂ）には、この際に用いられる照度値−照明時間テーブルの一例が模式的に示されている。同図に示されるように、本第２の実施の形態に係る照度値−照明時間テーブルでは、上記照度値が小さくなるほど上記照明時間が短くなるものとされている。
【０１０２】
なお、照度値−電流値テーブル及び照度値−照明時間テーブルにおける各照度値に対応する電流値及び照明時間は、電流値に照明時間を乗算して得られた値に応じた値が照度値に関わらず所定値以下となるものとされている。また、照度値−電流値テーブル及び照度値−照明時間テーブルは、内部メモリ４８の所定領域に予め記憶されている。
【０１０３】
次に、図１２を参照して、撮影画角を決定するためにスルー画像をＬＣＤ３８に表示させる際のデジタルカメラ１０’の作用を説明する。なお、図１２は、ＬＣＤ３８にスルー画像を表示させる場合であって、かつ照度値が所定値より低いときにＣＰＵ４０によって実行される被写体像表示処理プログラムの処理の流れを示すフローチャートであり、当該プログラムは内部メモリ４８の所定領域に予め記憶されている。なお、同図の図６と同一の処理を行うステップについては図６と同一のステップ番号を付して、その説明を省略する。
【０１０４】
同図のステップ２００の処理において肯定判定となった場合はステップ２０９に移行する。
【０１０５】
ステップ２０９では、上記照度値−照明時間テーブル（図１１（Ｂ）も参照。）に基づいて、補助光源４５による照明時間を照度センサ４７により検出された照度値に応じた照明時間に設定した後、次のステップ２１０にて照明光投光処理ルーチン・プログラムを実行する。以下、図１３を参照して、本第２の実施の形態に係る照明光投光処理ルーチン・プログラムについて説明する。なお、同図の図７と同一の処理を行うステップについては図７と同一のステップ番号を付して、その説明を省略する。
【０１０６】
同図のステップ３０１では、上記照度値−電流値テーブル（図１１（Ａ）も参照。）に基づいて、照度センサ４７により検出された照度値に応じた電流値を決定した後、ステップ３０９に移行する。
【０１０７】
ステップ３０９では、上記プログラム線図（図３（Ｃ）も参照。）に基づいて、照度センサ４７により検出された照度値が上記ステップ３０１の処理により決定された電流値に対応する所定照度閾値以上であるか否かについて判定し、肯定判定となった場合は上記ステップ３１０に移行する一方、否定判定となった場合は上記ステップ３１２に移行する。
【０１０８】
その後、ステップ３１０及びステップ３１２にて上記第１の実施の形態と同様の処理を実行した後にステップ３１５に移行する。
【０１０９】
ステップ３１５では、上記ステップ３０１の処理により決定した電流値の電流が入力されて補助光源４５の発光が開始されるように補助光インタフェース４３を制御した後、ステップ３１６に移行する。
【０１１０】
以上詳細に説明したように、本実施の形態では、上記第１の実施の形態と略同一の効果が得られると共に、本発明の検出手段として照度センサを用いているので、ＣＣＤにより得られた画像情報に基づいて被写体の明るさの度合いを示す値を導出する場合に比較して、簡易に当該値を導出することができる。
【０１１１】
なお、上記各実施の形態では、各種値をテーブル変換により導出する場合について説明したが、本発明は、これに限定されるものではなく、例えば、上述した各テーブルにより導出される値を算出可能な演算式を適用する形態とすることもできる。この場合、上記各実施の形態と比較して、テーブルを記憶するためのメモリ容量を低減できる。
【０１１２】
また、上記各実施の形態で示したデジタルカメラ１０及びデジタルカメラ１０’の外観構成（図１及び図９参照。）及び電気系の要部構成（図２及び図１０参照。）は一例であり、必要に応じて構成要素を追加したり、不要な構成要素を削除したりすることができることは言うまでもない。
【０１１３】
また、上記各実施の形態で示した各種テーブル及びプログラム線図（図３及び図１１参照。）のデータ構造も一例であり、本発明の主旨を逸脱しない範囲内において適宜変更可能であることは言うまでもない。
【０１１４】
また、上記各実施の形態で示したプログラムの処理の流れ（図４、図６〜図８、図１２及び図１３参照。）も一例であり、必要に応じて処理手順を変更したり、処理内容を変更したり、不要な処理を削除したりすることができることは言うまでもない。
【０１１５】
更に、上記各実施の形態で示した選択画面の表示状態（図５参照。）も一例であり、必要に応じて表示項目を追加したり、不要な表示項目を削除したりすることができることは言うまでもない。
【図面の簡単な説明】
【０１１６】
【図１】第１の実施の形態に係るデジタルカメラの外観を示す外観図である。
【図２】第１の実施の形態に係るデジタルカメラの電気系の要部構成を示すブロック図である。
【図３】（Ａ）は第１の実施の形態に係る平均輝度値−電流値テーブルの模式図であり、（Ｂ）は第１の実施の形態に係る平均輝度値−照明時間テーブルの模式図であり、実施の形態に係るプログラム線図である。
【図４】実施の形態に係る照明時間設定処理プログラムの処理の流れを示すフローチャートである。
【図５】実施の形態に係るＬＣＤに表示される選択画面の表示状態例を示す概略図である。
【図６】第１の実施の形態に係る被写体像表示処理プログラムの処理の流れを示すフローチャートである。
【図７】第１の実施の形態に係る照明光投光処理ルーチン・プログラムの処理の流れを示すフローチャートである。
【図８】実施の形態に係る強制発光処理プログラムの処理の流れを示すフローチャートである。
【図９】第２の実施の形態に係るデジタルカメラの外観を示す外観図である。
【図１０】第２の実施の形態に係るデジタルカメラの電気系の要部構成を示すブロック図である。
【図１１】（Ａ）は第２の実施の形態に係る照度値−電流値テーブルの模式図であり、（Ｂ）は第２の実施の形態に係る照度値−照明時間テーブルの模式図である。
【図１２】第２の実施の形態に係る被写体像表示処理プログラムの処理の流れを示すフローチャートである。
【図１３】第２の実施の形態に係る照明光投光処理ルーチン・プログラムの処理の流れを示すフローチャートである。
【符号の説明】
【０１１７】
１０    デジタルカメラ
１０’  デジタルカメラ
２４    ＣＣＤ（撮像手段、検出手段）
３０    デジタル信号処理部（ホワイトバランス調整手段）
３８    ＬＣＤ（表示手段）
４０    ＣＰＵ（制御手段）
４５    補助光源（照明手段）
４７    照度センサ（検出手段）
４８    内部メモリ（記憶手段）
５６Ｄ  十字カーソルスイッチ（照明時間入力手段）
５６Ｅ  ズームスイッチ（発光指示入力手段）
【図１】
2007221218.tif 000003
【図２】
2007221218.tif 000004
【図３】
2007221218.tif 000005
【図４】
2007221218.tif 000006
【図５】
2007221218.tif 000007
【図６】
2007221218.tif 000008
【図７】
2007221218.tif 000009
【図８】
2007221218.tif 000010
【図９】
2007221218.tif 000011
【図１０】
2007221218.tif 000012
【図１１】
2007221218.tif 000013
【図１２】
2007221218.tif 000014
【図１３】
2007221218.tif 000015